(57)【要約】【課題】まぶたに貼る前にテープの接着力を弱めることがないようにした二重まぶた用テープを提供するものである。【解決手段】二重まぶた用テープ１０は、基部１６の両面に接着剤１８を取付けた主テープ部１２の両端に、外面が非接着性の取っ手１４を切断し易い状態で接続したものである。二重まぶた用テープ１０を使用する場合には、覆い部材２０を主テープ部１２から剥がし、取っ手１４を持って主テープ部１２を台紙２２から剥がし、二重まぶた用テープ１０の主テープ部１２をまぶたに貼り二重まぶたを形成する。その後、取っ手１４を主テープ部１２から切断する。【選択図】図１
2008302259.tif 000002
【特許請求の範囲】
【請求項１】
まぶたに貼るものであって非伸縮性の基部の両面に接着剤を備えた主テープ部と、その主テープ部の両端に分離し易い状態で接続するものであって外面が非接着性の取っ手とから成ることを特徴とする二重まぶた用テープ。
【請求項２】
前記取っ手は両面又は片面に接着剤を備えた非伸縮性の基部に非接着性の部材を貼付することにより外面を非接着性としたことを特徴とする請求項１記載の二重まぶた用テープ。
【請求項３】
前記取っ手は非伸縮性の基部に接着剤を備えないことにより外面を非接着性としたことを特徴とする請求項１記載の二重まぶた用テープ。
【請求項４】
前記取っ手を着色したことを特徴とする請求項１乃至３のいずれかに記載の二重まぶた用テープ。
【発明の詳細な説明】
【技術分野】
【０００１】
本発明は、まぶたの上に貼ることによってまぶたを二重まぶたにするための二重まぶた用テープに関する。
【背景技術】
【０００２】
日本人の中には一重まぶたの人が多い。一般には、二重まぶたの方が可愛く見えると言われているため、一重まぶたを二重まぶたに一時的に保つようにした二重まぶた用テープとその保持体が、特許文献１に提供されている。ここで従来既知の二重まぶた用テープ及びその保持体を図９乃至図１１に基づいて説明する。図９乃至図１１に示すように、二重まぶた用テープ５０は、流線形で透明な非接着性素材の基部５２とその片面に接着される接着剤５４との２層から成るものである。二重まぶた用テープ５０を多数備える保持体５６は、接着剤５４が容易に剥がれる面を有する台紙（セパレータ）５８と、その台紙５８と同じ大きであってその台紙５８の上に接着されるシート部材６０とから成る。このシート部材６０の内部に、切り抜いて形成される多数の二重まぶた用テープ５０を含んでいる。即ち、シート部材６０は、多数の二重まぶた用テープ５０と、多数の二重まぶた用テープ５０以外の余剰部６２とから成る。余剰部６２は透明の基部５２と同じ素材である基部６４とその片面に接着される接着剤６６とから成るものである。
【０００３】
保持体５６から二重まぶた用テープ５０を取り出す場合には、図１１に示すように、二重まぶた用テープ５０の長手方向に対して直角方向に縦断する折り曲げ線６８（一点鎖線）の位置で保持体５６を折り曲げる。これによって、二重まぶた用テープ５０の一端は台紙５８から浮き上がって台紙５８から離れる。この台紙５８から離れた箇所の二重まぶた用テープ５０をピンセット、毛抜き又は指等の摘み手段７０で摘み、二重まぶた用テープ５０を台紙５８から引き離す。その後、二重まぶた用テープ５０を睫毛の位置より３ミリ程度離した位置のまぶたに貼り付ける。この二重まぶた用テープ５０をまぶたに貼ることにより、流線形の二重まぶた用テープ５０によってまぶたが突き上げられ、一重のまぶたが自然な二重まぶたとなる。この二重まぶた用テープ５０は透明であるので、その上から化粧をすることができる。
【０００４】
【特許文献１】特開２００２−１７７３１６
【発明の開示】
【発明が解決しようとする課題】
【０００５】
図１１に示すように、保持体５６から二重まぶた用テープ５０を取り出す際には、二重まぶた用テープ５０の一端を摘み手段７０で摘む。このため、二重まぶた用テープ５０の接着剤５４のうち摘み手段７０が接触した箇所の接着力は、まぶたに接着する際に弱くなる。特に、摘み手段７０が指の場合には、指に付いている油が二重まぶた用テープ５０の接着剤５４の接着力を弱める。この結果、二重まぶた用テープ５０をまぶたに貼り付けた後に、摘み手段７０で摘んだ箇所から二重まぶた用テープ５０が剥がれるおそれがあった。
また、二重まぶた用テープ５０を使用する際にも、二重まぶた用テープ５０の接着力を弱めないようにするため、摘み手段７０が接触する箇所を極力少なくする等非常に気を使って丁寧に扱う必要があり、ある程度慣れないと美しい二重まぶたを簡単に形成することが難しいという問題があった。
【０００６】
また、従来の保持体５６では、保持体５６から二重まぶた用テープ５０を取り出す場合に、図１１に示すように、折り曲げ線６８の位置で保持体５６を折り曲げて、二重まぶた用テープ５０の一端を台紙５８から浮かび上がらせている。保持体５６を折り曲げ線６８の位置で折り曲げた場合に、図１１に示すように、折り曲げ線６８に位置する全ての二重まぶた用テープ５０の一端が台紙５８から浮かび上がる。このため、必要でない二重まぶた用テープ５０の接着剤５４が摘み手段７０に触れて、その触れた箇所の接着剤５４の接着力が弱まったり、或いは必要でない二重まぶた用テープ５０が摘み手段７０に接着して台紙５８から剥がれてしまうという不具合があった。更に、二重まぶた用テープ５０は台紙５８に接着しているので、二重まぶた用テープ５０の一端を台紙５８から上手に浮かび上がらせるのに、手間取ってしまうという不具合があった。
【０００７】
本発明は上記の点に鑑みてなされたもので、まぶたに貼る前にテープの接着力を弱めることがないようにした二重まぶた用テープを提供することを目的とするものである。
【課題を解決するための手段】
【０００８】
本発明に係る二重まぶた用テープは、まぶたに貼るものであって非伸縮性の基部の両面に接着剤を備えた主テープ部と、その主テープ部の両端に分離し易い状態で接続するものであって外面が非接着性の取っ手とから成るものである。
また、本発明に係る二重まぶた用テープは、前記取っ手は両面又は片面に接着剤を備えた非伸縮性の基部に非接着性の部材を貼付することにより外面を非接着性としたものである。或いは、前記取っ手は非伸縮性の基部に接着剤を備えないことにより外面を非接着性としたものである。
また、本発明に係る二重まぶた用テープは、前記取っ手を着色したものである。
【発明の効果】
【０００９】
本発明に係る二重まぶた用テープは、まぶたに貼り付けるための主テープ部とそれから容易に分離できる取っ手とを接続させたものであり、取っ手を摘み手段で摘むことにより、主テープ部の接着剤がまぶた以外に触れないようにするものである。これにより、本発明においては、主テープ部の接着力が弱まることなく、従来のテープと比べてまぶたから離れ難くすることができる。また、主テープ部の両面に接着剤を備えているので、まぶたに対する主テープ部の固定力が更に向上し、好適に二重まぶたの形成を実現できる。
【発明を実施するための最良の形態】
【００１０】
次に、本発明を図面に基づいて説明する。
図１は本発明に係る二重まぶた用テープを保持する保持体を示す正面図、図２は図１のＡ−Ａ線分解並びに接着断面図、図３は図１のＢ−Ｂ線分解並びに接着断面図である。また、図４は二重まぶた用テープ１０を保持体２４から取り出す状態を示す図１のＡ−Ａ線断面図である。なお、図１は説明の便宜上、覆い部材を剥がした状態を示す。
【００１１】
本実施例に係る二重まぶた用テープ１０は、主テープ部１２の両端に取っ手１４を接続したものである。
主テープ部１２は、非伸縮性であって非接着性の素材の基部１６とその基部１６の両面に取付けた接着剤１８との三層構造から成るものである。基部１６は厚さ２５μ程の透明ポリエステルフィルムであり、その基部１６の両面にアクリル系の接着剤１８を取付けることにより、主テープ部１２の総厚は９０μ程になる。
主テープ部１２に接続される取っ手１４は、主テープ部１２の両端から外側に伸びるようにして主テープ部１２と一体に形成されたものであり、基部１６とその基部１６の両面に取付けた接着剤１８と、その接着剤１８によって基部１６の両面に接着した非接着性の素材の覆い部材２０との五層構造から成るものである。即ち、取っ手１４の外面には接着箇所がないように構成されている。取っ手１４の基部１６も厚さ２５μ程の透明ポリエステルフィルムであり、その基部１６の両面に接着剤１８を介して接着される覆い部材２０は厚さ１２μ程である。なお、本実施例においては、摘み易くするために、取っ手１４は主テープ部１２よりも幅広に設定されている（図１）。
【００１２】
主テープ部１２と取っ手１４との接続箇所は、取っ手１４を持って台紙２２から二重まぶた用テープ１０を剥がす程度では切断されないように設定してある。しかし、人が取っ手１４を主テープ部１２から分断しようとする力を加えることにより、取っ手１４と主テープ部１２との接続箇所が分断できるように設定されている。こうすれば、特にはさみ等の道具も不要であり、手軽である。特に、主テープ部１２及び取っ手１４を非伸縮性の基部１６によって構成したことにより、主テープ部１２と取っ手１４との接続箇所に切れ目等を入れたりして加工する必要もなく、引っ張るだけで簡単に分離することが可能となる。また、例えば、本実施例のように、その接続箇所の横幅を主テープ部１２や取っ手１４よりも細くすることにより、引っ張ったときに応力が集中して分断し易くすることもできる。
なお、本実施例のように取っ手１４と主テープ部１２とを一体に形成した方が製造の手間やコストの点から好ましいが、別途形成した後に主テープ部１２と取っ手１４とを接続する構成としても良い。
【００１３】
図１乃至図３に示すように、保持体２４は、台紙２２と、その台紙２２の上に接着される台紙よりも面積の小さいシート部材２６と、そのシート部材２６の上に接着される覆い部材２８とから成る。
シート部材２６はその内部に切り抜いた状態の二重まぶた用テープ１０を含んでいる。即ち、シート部材２６は、二重まぶた用テープ１０と、二重まぶた用テープ１０以外の余剰部（周辺部）３０ａ，３０ｂとから成る。このシート部材２６は、図１に示すように一つの第一領域３２ａとその両端に位置する二つの第二領域３２ｂとの三つの領域にその構造が分けられている。第一領域３２ａと第二領域３２ｂの境界は二重まぶた用テープ１０における主テープ部１２と取っ手１４との接続箇所である。
【００１４】
第一領域３２ａは主テープ部１２とその周辺部３０ａとから成り、第二領域３２ｂは取っ手１４とその周辺部３０ｂとから成る。即ち、二重まぶた用テープ１０のうち、主テープ部１２は第一領域３２ａに含まれ、二重まぶた用テープ１０のうちの取っ手１４は第二領域３２ｂに含まれる。なお、本実施例では、第二領域３２ｂの周辺部３０ｂの端部は取っ手１４の縁端１４ａよりも突出しており、周辺部３０ｂの方が取っ手１４よりも長尺方向に長い構成である。
第一領域３２ａの周辺部３０ａは、主テープ部１２と同様に、基部１６とその両面に取付けた接着剤１８との三層構造から成る（図３）。第二領域３２ｂの周辺部３０ｂは、取っ手１４と同様に、基部１６とその基部１６の両面に取付けた接着剤１８と、その接着剤１８によって基部１６の両面に接着した非接着性の素材の覆い部材２０との五層構造から成る（図３）。
【００１５】
なお、取っ手１４と周辺部３０ｂとを含む第二領域３２ｂは、基部１６と接着剤１８と覆い部材２０との五層から構成して非接着性のものとしたが、非接着性の素材の基部１６だけの一層としても良い（図示略）。しかし、第二領域３２ｂが三層の第一領域３２ａから延長したものであることから、接着剤１８を取付けた基部１６に覆い部材２０を接触させて五層とした方が、第二領域３２ｂだけ接着剤１８を取付けないようにして非接着性の基部１６だけから成る一層とするよりも、製造が簡単で製造コストが安く、しかも取っ手１４の厚みが増して持ち易くなる。
また、取っ手１４を識別し易くするため、取っ手１４部分又は第二領域３２ｂ部分全体の基部１６又は覆い部材２０に印刷を施したり非接着性の塗料等を塗布して着色しても良い。取っ手１４部分には顔料等を混入して着色した接着剤１６を取付けることもできる。また、取っ手１４の上に、厚みを増すためや印刷を施すために、更なる層の部材を取り付けるようにしても良い。
【００１６】
接着剤１８が容易に剥がれる面を有する覆い部材２８は、シート部材２６の台紙２２と接着される側とは反対側の面に接着され、厚さ５０μ程のポリエステルフィルム等の一層構造であり、その形状はシート部材２６と同一である。覆い部材２８は、その内部が切り抜かれた状態となっており、シート部材に含まれる二重まぶた用テープ１０及び周辺部３０ａ，３０ｂと同一の形状に分離できる構成である。なお、覆い部材２８も取っ手１４と同様、識別し易いように着色しても良い。
また、接着剤が容易に剥がれる面を有する台紙２２は、シート部材２６の覆い部材２８と接着される側とは反対側の面に接着され、厚さ７５μ程のポリエステルフィルム等の一層構造となっている。台紙２２の形状は、例えば長方形等であって、シート部材２６及び覆い部材２８を含有できるように、シート部材２６及び覆い部材２８よりも大きい面積となっている。即ち、シート部材２６及び覆い部材２８の周縁部は、台紙２２の周縁部の内側に位置する構成となる。
【００１７】
次に、二重まぶた用テープ１０を保持体２４から取り出す場合について説明する。
本発明の保持体２４においては、シート部材２６は第一領域３２ａでのみ台紙２２及び覆い部材２８と接着されている。即ち、シート部材２６における二重まぶた用テープ１０の取っ手１４を含む第二領域３２ｂは、台紙２２に接着されていない。このため、取っ手１４を含む第二領域３２ｂは、予め極僅かではあるが浮き上がっている（図２及び図３）。
まず、二重まぶた用テープ１０の両側の余分な部分（周辺部３０ａ，３０ｂ）をその周辺部３０ａ，３０ｂの上の覆い部材２８と共に剥がす。即ち、その浮き上がっている第二領域３２ｂに含まれる片方の周辺部３０ｂを摘み、そのまま摘み上げることにより、周辺部３０ｂから周辺部３０ａを経て反対側の周辺部３０ｂまでを一連に台紙２２から分離させる。これを両側繰り返すことにより、二重まぶた用テープ１０の両脇の周辺部３０ａ，３０ｂが全て剥がされる。このとき、周辺部３０ｂの端部は取っ手１４の縁端１４ａよりも突出しているので、摘み易くなっている。
次に、二重まぶた用テープ１０の上の覆い部材２８を剥がす。その後、取っ手１４の片方を指等の摘み手段３４で摘み上げることにより、主テープ部１２（二重まぶた用テープ１０）を台紙２２から取り出す（図４）。このように、本発明においては、取っ手１４が台紙２２に接着してないので、必要とする二重まぶた用テープ１０の取っ手１４を容易に摘むことができる。
【００１８】
更に、保持体２４から取り出した二重まぶた用テープ１０をまぶたに貼って二重まぶたを形成する方法について説明する。
台紙２２から引き離した二重まぶた用テープ１０は、その後、両端に備えられた取っ手１４を持った状態で、主テープ部１２を作りたい二重のラインに合わせて（例えば、睫毛の位置より３ミリ程度離した位置）まぶたに押し付けるように貼り付ける（図５）。このように、主テープ部１２の両端に取っ手１４が接続されているので、二重まぶた用テープ１０を両手でしっかり持つことができ、簡単にまぶたに貼ることができる。なお、二重まぶた用テープ１０を貼る前に、まぶたの上の脂分をコットンやティッシュペーパー等でよく拭き取り、プッシャー３６（後述する）で予め二重のラインを確認しておくことが好ましい。
【００１９】
まぶたに主テープ部１２を貼り付けた後、取っ手１４を外方向に引っ張るか又は捻ることによって、主テープ部１２との接続箇所を切断する。これによって、取っ手１４が主テープ部１２から分離し（図６）、主テープ部１２の片面の接着剤１８によって、主テープ部１２のみがまぶたに貼り付けられる。このように、本発明に係る二重まぶた用テープ１０では、まぶたに貼り付けられる主テープ部１２の接着剤１８には指等が接触することはないので、主テープ部１２の接着力が弱まることがない。また、指等には接着剤が触れないので、指等から取っ手１４を離し易いし、二重まぶた用テープ１０を使用した後も指がべたべたして不快感を覚えることもない。
なお、取っ手１４を主テープ部１２と分離するときは、取っ手１４は片方ずつ切断した方が主テープ部１２全体をまぶたにきれいに貼り付けることができるうえ、無理に引っ張ることによって肌（まぶた）を傷めることもない。仮に、主テープ部１２の端が浮いてしまった場合であっても、プッシャー３６等の道具で軽く押さえるようにしてまぶたに密着させることができる。
【００２０】
主テープ部１２の片面をまぶたに貼り付けたら、続いて主テープ部１２の他方の面（接着剤が露出している面）にまぶたの他の箇所を押し付ける。このとき、プッシャー３６等で主テープ部１２に向けてまぶたを折り込むようにして押さえ、二重のラインを整える（図７）。このように、主テープ部１２の両面に接着剤１８を備えているので、まぶたに対する固定力が向上する。なお、二重まぶたを完成させた後はアイメイク等の化粧をすることもできるので、更に見映えの良い自然で美しい二重まぶたとすることができる。
【００２１】
なお、プッシャー３６は、図７に示すように、持ち易い形状の把持部を備えた小型かつ軽量の簡易な構成の棒状のものであって、プラスチック等所定の硬度を備えた廉価な素材から成るものである。特に、まぶたを好適に引っ掛けたり押さえたりするために先端が二又になっている形状のものが好ましい。本実施例のような形状のプッシャー３６を使用すれば、より自然で美しい二重まぶたを簡単に形成できる。
【００２２】
二重まぶたを形成する際の細かい手順については、使用者の好みや使い易さで順序を自由に入れ替えることができる。例えば、取っ手１４を主テープ部１２から分離させる前に主テープ１２の両面をまぶたに接着させても構わない。即ち、二重まぶたを完成させてから取っ手１４を切断することもできる。また、主テープ部１２に貼付されている覆い部材２８を剥がす前に二重まぶた用テープ１０を保持体２４から取り出すこともできる。このように予め覆い部材２８を剥がさず、覆い部材２８を残したまま主テープ部１２の片面をまぶたに接着し、その後に覆い部材２８を剥がすようにしても良い。
また、周辺部３０ａ，３０ｂを剥がす前に二重まぶた用テープ１０を保持体２４から取り出す方法として構わない。この場合は、取っ手１４を先に摘み易くするため、本実施例とは逆に周辺部３０ｂの端部よりも取っ手１４の縁端１４ａを突出させた仕様とすることが好ましい。
【００２３】
また、図８に示すように、本実施例の二重まぶた用テープ１０（主テープ部１２）を付け睫毛３８の接着手段として使用しても良い。即ち、主テープ部１２の片面には付け睫毛３８を接着して、他方の面をまぶた（付け睫毛３８の取付け位置）に貼ることができる。なお、図８において、図１乃至図４と同一符号は同一部材を示し、保持体２４からの取り出し方法及びまぶたへの貼り付け方法は上述の説明を援用する。
【図面の簡単な説明】
【００２４】
【図１】本発明に係る二重まぶた用テープを保持する保持体を示す正面図である。
【図２】図１のＡ−Ａ線分解並びに接着断面図である。
【図３】図１のＢ−Ｂ線分解並びに接着断面図である。
【図４】二重まぶた用テープを保持体から取り出す状態を示すＡ−Ａ線断面図である。
【図５】二重まぶた用テープをまぶたに貼り付ける状態を示す斜視図である。
【図６】二重まぶた用テープの主テープ部と取っ手とを切り離す状態を示す斜視図である。
【図７】プッシャーを使用してまぶたを整える状態を示す斜視図である。
【図８】本発明に係る二重まぶた用テープを他の用途に使用する場合の分解斜視図である。
【図９】従来既知の二重まぶた用テープとその保持体を示す正面図である。
【図１０】図９のＣ−Ｃ線断面図及び分解断面図である。
【図１１】従来既知の二重まぶた用テープを保持体から取り出す状態を示す斜視図である。
【符号の説明】
【００２５】
１０    二重まぶた用テープ
１２    主テープ部
１４    取っ手
１６    基部
１８    接着剤
２０    覆い部材
２２    台紙
２４    保持体
２６    シート部材
２８    覆い部材
【図１】
2008302259.tif 000003
【図２】
2008302259.tif 000004
【図３】
2008302259.tif 000005
【図４】
2008302259.tif 000006
【図５】
2008302259.tif 000007
【図６】
2008302259.tif 000008
【図７】
2008302259.tif 000009
【図８】
2008302259.tif 000010
【図９】
2008302259.tif 000011
【図１０】
2008302259.tif 000012
【図１１】
2008302259.tif 000013